【手続補正書】
【提出日】平成16年8月11日(2004.8.11)
【手続補正１】
【補正対象書類名】明細書
【補正対象項目名】特許請求の範囲
【補正方法】変更
【補正の内容】
【特許請求の範囲】
【請求項１】
測定対象試料の配向を求めるオンライン配向測定方法における次のステップを備えた補正係数算出方法。
（ステップ１）試料の一面側のみに配置された複数の誘電体共振器を備える測定ヘッド上に何も置かない状態で、各誘電体共振器の共振周波数を測定することによりブランク時共振周波数を求めるステップ。
（ステップ２）少なくとも全ての誘電体共振器の測定面を覆う実質的に無配向の標準試料について、各誘電体共振器の共振周波数を測定するステップ。
（ステップ３）ステップ１および２にて得られた各誘電体共振器毎の共振周波数の差から標準試料シフト量を算出し、得られた各誘電体共振器の標準試料シフト量を平均し、得られた平均値と各誘電体共振器の標準シフト量を演算して各誘電体共振器毎の補正係数を算出するステップ。
【請求項２】
測定対象試料の配向を求めるオンライン配向測定方法における次のステップを備えた補正係数算出方法。
（ステップ１）試料の一面側のみに配置された複数（ｎ個）の誘電体共振器を備える測定ヘッド上に何も置かない状態で、各誘電体共振器の共振周波数を測定することによりブランク時共振周波数を求めるステップ。
（ステップ２）少なくとも全ての誘電体共振器の測定面を覆う標準試料について、各誘電体共振器の共振周波数を測定するステップ。
（ステップ３）ステップ２において各誘電体共振器に対して定まった標準試料の特定の領域（１からｎ番目の領域）について、試料を少なくとも（ｎ−１）回置き換えて、全ての１からｎ番領域に対して各誘電体共振器毎に共振周波数を測定するステップ。
（ステップ４）全ての１からｎ番領域に対して各誘電体共振器毎に測定した共振周波数と各誘電体共振器のブランク時共振周波数との差から各領域（１からｎ番目の領域）毎に各誘電体共振器の標準試料シフト量を算出するステップ。
（ステップ５）ステップ４で得られた各誘電体共振器の標準試料シフト量の平均値を各領域（１からｎ番目の領域）毎に算出し、その平均値と各誘電体共振器の標準試料シフト量を演算し、各領域毎に規格化した各誘電体共振器の標準試料シフト量を算出し、次にその各規格化した各誘電体共振器の標準試料シフト量を各誘電体共振器毎に平均化して、各誘電体共振器毎の補正係数を算出するステップ。
【請求項３】
測定対象試料の配向を求めるオンライン配向測定方法における次のステップを備えた補正係数算出方法。
（ステップ１）試料の一面側のみに配置された複数の誘電体共振器を備える測定ヘッド上に何も置かない状態で、各誘電体共振器の共振周波数を測定することによりブランク時共振周波数を求めるステップ。
（ステップ２）少なくとも全ての誘電体共振器の測定面を覆う標準試料について、各誘電体共振器の共振周波数を測定するステップ。
（ステップ３）ステップ２において各誘電体共振器に対して定まった標準試料の特定の領域（１からｎ番目の領域：これを仮にＡ，Ｂ，Ｃ…のｎ個の領域として以下Ａ，Ｂ，Ｃ…の記号を使用）について、試料を少なくとも（ｎ−１）回置き換えて、全ての１からｎ番領域に対して各誘電体共振器毎に各領域に対する共振周波数を測定するステップ。
（ステップ４）全ての１からｎ番領域に対して各誘電体共振器毎に測定した共振周波数と各誘電体共振器のブランク時共振周波数との差から各領域毎に各誘電体共振器の標準試料シフト量を算出するステップ。
（ステップ５）ステップ４で得られた各誘電体共振器の標準試料シフト量の平均値を各領域（Ａ，Ｂ，Ｃ…のｎ個の領域）毎に算出し、その平均値と各誘電体共振器の各領域における標準試料シフト量を演算し、各領域毎に規格化した各誘電体共振器の標準試料シフト量を算出するステップ（この値を規格化シフト量と呼ぶ）。
（ステップ６）各誘電体共振器毎に予め決めた任意の補正係数初期値（αI１、αI２、αI３…αIｎ）を規格化シフト量（ＳＶ１Ａ，ＳＶ１Ｂ，ＳＶ１Ｃ，…ＳＶ２Ａ，ＳＶ２Ｂ…ＳＶ３Ａ，ＳＶ３Ｂ…）に演算し、補正後規格化シフト量初期値（Ｘ１A，Ｘ１Ｂ，Ｘ１Ｃ，…Ｘ２A，Ｘ２B…Ｘ３A，Ｘ３B…）を得て、この補正後規格化シフト量初期値についての式（１）
【数１】
2003254915.tif 000001
において補正係数初期値（αI１、αI２、αI３…αIｎ）から徐々に各初期値を変化させて計算を繰り返し、ａkを最小にする最終的に定まる補正係数となるαL１…αLｎを算出するステップ。
【請求項４】
請求項１、２または３記載の補正係数算出方法に更に次のステップを備えて測定対象試料の配向を求めるオンライン配向測定方法。
（ステップ１）走行する測定対象試料に測定ヘッドを接触または近接させた状態で、各誘電体共振器の共振周波数を測定するステップ。
（ステップ２）ステップ１で得られた各誘電体共振器の共振周波数とブランク時共振周波数の差から測定試料シフト量を算出するステップ。
（ステップ３）ステップ２で得られた周波数シフト量に請求項１記載の誘電体共振器ヘッドの補正係数を演算して補正後のシフト量とし、その値を元に測定対象試料の配向を求めるステップ。
【手続補正２】
【補正対象書類名】明細書
【補正対象項目名】００１０
【補正方法】変更
【補正の内容】
【００１０】
【課題を解決するための手段】
本発明は、測定対象試料の配向を求めるオンライン配向測定方法における次のステップを備えた補正係数算出方法である。
（ステップ１）試料の一面側のみに配置された複数の誘電体共振器を備える測定ヘッド上に何も置かない状態で、各誘電体共振器の共振周波数を測定することによりブランク時共振周波数を求めるステップ。
（ステップ２）少なくとも全ての誘電体共振器の測定面を覆う実質的に無配向の標準試料について、各誘電体共振器の共振周波数を測定するステップ。
（ステップ３）ステップ１および２にて得られた各誘電体共振器毎の共振周波数の差から標準試料シフト量を算出し、得られた各誘電体共振器の標準試料シフト量を平均し、得られた平均値と各誘電体共振器の標準シフト量を演算して各誘電体共振器毎の補正係数を算出するステップ。
【手続補正３】
【補正対象書類名】明細書
【補正対象項目名】００１１
【補正方法】変更
【補正の内容】
【００１１】
本発明は、測定対象試料の配向を求めるオンライン配向測定方法における次のステップを備えた補正係数算出方法である。
（ステップ１）試料の一面側のみに配置された複数（ｎ個）の誘電体共振器を備える測定ヘッド上に何も置かない状態で、各誘電体共振器の共振周波数を測定することによりブランク時共振周波数を求めるステップ。
（ステップ２）少なくとも全ての誘電体共振器の測定面を覆う標準試料について、各誘電体共振器の共振周波数を測定するステップ。
（ステップ３）ステップ２において各誘電体共振器に対して定まった標準試料の特定の領域（１からｎ番目の領域）について、試料を少なくとも（ｎ−１）回置き換えて、全ての１からｎ番領域に対して各誘電体共振器毎に共振周波数を測定するステップ。
（ステップ４）全ての１からｎ番領域に対して各誘電体共振器毎に測定した共振周波数と各誘電体共振器のブランク時共振周波数との差から各領域（１からｎ番目の領域）毎に各誘電体共振器の標準試料シフト量を算出するステップ。
（ステップ５）ステップ４で得られた各誘電体共振器の標準試料シフト量の平均値を各領域（１からｎ番目の領域）毎に算出し、その平均値と各誘電体共振器の標準試料シフト量を演算し、各領域毎に規格化した各誘電体共振器の標準試料シフト量を算出し、次にその各規格化した各誘電体共振器の標準試料シフト量を各誘電体共振器毎に平均化して、各誘電体共振器毎の補正係数を算出するステップ。
【手続補正４】
【補正対象書類名】明細書
【補正対象項目名】００１２
【補正方法】変更
【補正の内容】
【００１２】
本発明は、測定対象試料の配向を求めるオンライン配向測定方法における次のステップを備えた補正係数算出方法である。
（ステップ１）試料の一面側のみに配置された複数の誘電体共振器を備える測定ヘッド上に何も置かない状態で、各誘電体共振器の共振周波数を測定することによりブランク時共振周波数を求めるステップ。
（ステップ２）少なくとも全ての誘電体共振器の測定面を覆う標準試料について、各誘電体共振器の共振周波数を測定するステップ。
（ステップ３）ステップ２において各誘電体共振器に対して定まった標準試料の特定の領域（１からｎ番目の領域：これを仮にＡ，Ｂ，Ｃ…のｎ個の領域として以下Ａ，Ｂ，Ｃ…の記号を使用）について、試料を少なくとも（ｎ−１）回置き換えて、全ての１からｎ番領域に対して各誘電体共振器毎に各領域に対する共振周波数を測定するステップ。
（ステップ４）全ての１からｎ番領域に対して各誘電体共振器毎に測定した共振周波数と各誘電体共振器のブランク時共振周波数との差から各領域毎に各誘電体共振器の標準試料シフト量を算出するステップ。
（ステップ５）ステップ４で得られた各誘電体共振器の標準試料シフト量の平均値を各領域（Ａ，Ｂ，Ｃ…のｎ個の領域）毎に算出し、その平均値と各誘電体共振器の各領域における標準試料シフト量を演算し、各領域毎に規格化した各誘電体共振器の標準試料シフト量を算出するステップ（この値を規格化シフト量と呼ぶ）。
（ステップ６）各誘電体共振器毎に予め決めた任意の補正係数初期値（αI１、αI２、αI３…αIｎ）を規格化シフト量（ＳＶ１Ａ，ＳＶ１Ｂ，ＳＶ１Ｃ，…ＳＶ２Ａ，ＳＶ２Ｂ…ＳＶ３Ａ，ＳＶ３Ｂ…）に演算し、補正後規格化シフト量初期値（Ｘ１A，Ｘ１Ｂ，Ｘ１Ｃ，…Ｘ２A，Ｘ２B…Ｘ３A，Ｘ３B…）を得て、この補正後規格化シフト量初期値についての式（１）
において補正係数初期値（αI１、αI２、αI３…αIｎ）から徐々に各初期値を変化させて計算を繰り返し、ａkを最小にする最終的に定まる補正係数となるαL１…αLｎを算出するステップ。